(57)【要約】      （修正有）【課題】動作安定性の向上、更には、作業範囲の拡張、保守費用の低減を実現し得る杭の圧入及び引き抜き装置を提供する。【解決手段】杭の圧入及び引き抜き装置は、機体１側から上下揺動可能に突設されたブーム３の途中位置にウィンチ７を配置し、ブームの先端側にウィンチの動力を伝達する滑車群１２を配置し、この滑車群の下部に滑車群により吊持された動滑車１７及び地盤１９側に圧入された杭２１の上端側に係止される係止体２２を設けたとともに、ブームと地盤側との間に圧縮方向に作用させる支柱部２３を設け、滑車群、動滑車、及び係止体と、支柱部とを前後位置をずらせて別々に並設した構成とし、係止体を杭頭に係脱可能に係止するチャックとし、支柱部を上下方向に伸縮駆可能なジャッキ又はシリンダ等からなるアクチュエータとし、支柱部の下端部にチャック２７を設け、圧入された杭の杭頭を係脱可能とし、又は杭頭の上面にチャックの下面を押付け可能とする構成とした。【選択図】図１
0003224435.tif 000002
【実用新案登録請求の範囲】
【請求項１】
機体側から上下揺動可能に突設されたブームの途中位置にウィンチを配置し、ブームの先端側にウィンチの動力を伝達する滑車群を配置し、この滑車群の下部に前記滑車群により吊持された動滑車及び地盤側に圧入された杭の上端側に係止される係止体を設けたとともに、
前記ブームと地盤側との間に圧縮方向に作用させる支柱部を設け、
前記滑車群、動滑車、及び係止体と、前記支柱部とを前後位置をずらせて別々に並設したことを特徴とする杭の圧入及び引き抜き装置。
【請求項２】
前記係止体が、杭頭を係脱可能に係止するチャックである請求項１記載の杭の圧入及び引き抜き装置。
【請求項３】
前記支柱部が、上下方向に伸縮駆可能なジャッキ又はシリンダ等からなるアクチュエータからなる請求項１又は２に記載の杭の圧入及び引き抜き装置。
【請求項４】
前記支柱部の下端部にチャックを設け、圧入された杭の杭頭を係脱可能とし、又は杭頭の上面にチャックの下面を押付け可能とする請求項１乃至３のいずれか１項に記載の杭の圧入及び引き抜き装置。
【請求項５】
前記支柱部の下端部に、地盤上に配置された反力部材に当接せしめるアタッチメントを設けてなる請求項１乃至４のいずれか１項に記載の杭の圧入及び引き抜き装置。
【請求項６】
前記滑車群は、前記ブームに沿って縦並び形態で構成配置されている請求項１乃至５のいずれか１項に記載の杭の圧入及び引き抜き装置。
【考案の詳細な説明】
【技術分野】
【０００１】
本考案は、杭の圧入及び引き抜き装置に関するものであり、詳しくは、特に特許文献２の杭の圧入及び引き抜き装置の構成を改良し、動作安定性の向上、更には、作業範囲の拡張、保守費用の低減を実現し得る杭の圧入及び引き抜き装置に関するものである。
【背景技術】
【０００２】
従来、ウィンチを用いて既設の杭を引き抜く装置としては、特開平６−１０８４６７号公報（特許文献１）に示されるものが知られており、この装置は、既設の杭頭にチャックを用いて固定できる大型のタワー状機体フレームにウィンチを設け、既設の杭に反力を取りながらチャック付の動滑車で順次杭を引き抜くようにしたものである。
【０００３】
しかし、上記従来技術のものは、大型の引き抜き装置を必要とする他、杭引き抜きの都度の杭抜機の移動と共に杭抜機側を多数のチャックにより既設の杭頭にチャッキングして固定する必要があり、上記移動自体も杭抜機をクレーンにより吊り上げて行う必要がある等の問題があった。
【０００４】
他方、杭の圧入は、一般に騒音発生が避けられない衝撃を与えて打設するものを除けば、油圧やウィンチを用いて圧入するものが知られているが、いずれも圧力入のための反力装置を大重量のものにするか、反力用の杭打ちを特別に行う必要がある等の問題があった。
【０００５】
また、特許文献２には、機体側から上下揺動可能に突設されたブームの先端側に、昇降可能な動滑車を吊持したウィンチと、ブームと地盤側との間に圧縮方向に作用させる支柱とを前後位置をずらせて別々に並設し、上記動滑車側には地盤側に圧入された杭の上端側に係止される係止体を設けて構成した杭の圧入及び引き抜き装置が開示されている。
【０００６】
特許文献２の杭の圧入及び引き抜き装置によれば、在来のバックホー等の建機の簡単な改良により、無振動による杭の圧入や引き抜きが単一の装置で実現できること、圧入や引き抜きに伴う装置の場所移動も容易に行うことができ、特別な杭抜き機やクレーン等の使用が必ずしも必要ないこと、更には、杭の圧入や引き抜きの反力を得るための大型の機体等を必要としないので能率的に作業を遂行することが可能になること等の特徴を有するものである。
【０００７】
しかし、特許文献２の杭の圧入及び引き抜き装置の場合、ブームの先端側にウィンチを配置した構成であることから、この装置の構成要素の重量バランスが良好でなく、この装置による杭の圧入や引き抜き動作時に、装置の後端側が持ち上がる等の不具合が生じ、動作安定性に欠けるという問題を包含している。
【先行技術文献】
【特許文献】
【０００８】
【特許文献１】特開平６−１０８４６７号公報
【特許文献２】特許第３４６３０３５号公報
【考案の概要】
【考案が解決しようとする課題】
【０００９】
本考案は、上記従来の実情に鑑み開発されたものであり、特に特許文献２の杭の圧入及び引き抜き装置の構成を改良し、動作安定性の向上、更には、作業範囲の拡張、保守費用の低減を実現し得る杭の圧入及び引き抜き装置を提供するものである。
【課題を解決するための手段】
【００１０】
本考案に係る杭の圧入及び引き抜き装置は、機体側から上下揺動可能に突設されたブームの途中位置にウィンチを配置し、ブームの先端側にウィンチの動力を伝達する滑車群を配置し、この滑車群の下部に前記滑車群により吊持された動滑車及び地盤側に圧入された杭の上端側に係止される係止体を設け、前記ブームと地盤側との間に圧縮方向に作用させる支柱部を設け、前記滑車群、動滑車、及び係止体と、前記支柱部とを前後位置をずらせて別々に並設したことを最も主要な特徴とする。
【考案の効果】
【００１１】
請求項１記載の考案によれば、在来のバックホー等の建機の簡単な改良により、無振動による杭の圧入や引き抜きが単一の装置で実現できるほか、圧入や引き抜きに伴う装置の場所移動も容易に行うことができ、特別な杭抜き機やクレーン等の使用が必ずしも必要ない等の利点があり、また、杭の圧入や引き抜きの反力を得るための大型の機体等を必要としないので、能率的にも作業の安全性の面からも優れており、更には、ブームの先端側にウィンチを配置した構成としているので、この装置の構成要素の重量バランスが良好となり、この装置による杭の圧入や引き抜き動作時に、装置の後端側が持ち上がる等の不具合が無くなり、動作安定性に優れ、ブームの先端側が軽量化しているので、ブームの操作性の向上、周辺の物体との衝突回避を実現でき、各要素を無理なく駆動できることによるワイヤロープの耐久性の向上等の保守費用の低廉化も実現できる杭の圧入及び引き抜き装置を実現し提供することができる。
【００１２】
請求項２記載の考案によれば、前記請求項１記載の考案において、前記係止体を杭頭に係脱可能に係止されるチャックにより構成しているので、杭の圧入や引き抜き動作時における当該杭のチャックを効率よく実施できる杭の圧入及び引き抜き装置を実現し提供することができる。
【００１３】
請求項３記載の考案によれば、前記請求項１又は２記載の考案において、前記支柱部を上下方向に伸縮駆可能なジャッキ又はシリンダ等からなるアクチュエータにより構成しているので、支柱部側に把持された杭の圧入を容易に行うことができる杭の圧入及び引き抜き装置を実現し提供することができる。
【００１４】
請求項４記載の考案によれば、前記請求項１乃至３のいずれか１項に記載の考案において、前記支柱部の下端部にチャックを設け、圧入された杭の杭頭を係脱可能とし、又は杭頭の上面に下面を押付け可能な構成としているので、支柱部側における杭のチャックを効率よく実施できる杭の圧入及び引き抜き装置を実現し提供することができる。
【００１５】
請求項５記載の考案によれば、前記請求項１乃至４のいずれか１項に記載の考案において、前記支柱部の下端部に、地盤上に配置された反力部材に当接せしめるアタッチメントを設けた構成としているので、地盤面よりの引き抜き反力を容易に得ることができる杭の圧入及び引き抜き装置を実現し提供することができる。
【００１６】
請求項６記載の考案によれば、前記請求項１乃至５のいずれか１項に記載の考案において、前記滑車群を、ブームに沿って縦並び形態で構成配置しているので、この種の装置の従来におけるブームに対して横並び形態で多滑車が構成配置されているものと対比して、ワイヤロープの繰り出し及び巻き取りを効率よく実施できる杭の圧入及び引き抜き装置を実現し提供することができる。
【図面の簡単な説明】
【００１７】
【図１】図１は本考案の実施例に係る杭の圧入及び引き抜き装置による杭引き抜き作業状態を示す概略側面図である。
【図２】図２は本実施例に係る杭の圧入及び引き抜き装置による杭の圧入作業状態を示す部分拡大概略側面図である。
【図３】図３は本考案の別の実施例に係る杭の圧入及び引き抜き装置による杭引き抜き作業状態を示す部分拡大概略側面図である。
【考案を実施するための形態】
【００１８】
本考案は、特許文献２の装置と略同様な効果を発揮し得ることに加え、動作安定性の向上、更には、作業範囲の拡張、保守費用の低減を実現し得る杭の圧入及び引き抜き装置を提供するという目的を、機体側から上下揺動可能に突設されたブームの途中位置にウィンチを配置し、ブームの先端側にウィンチの動力を伝達する滑車群を配置し、この滑車群の下部に前記滑車群により吊持された動滑車及び地盤側に圧入された杭の上端側に係止される係止体を設け、前記ブームと地盤側との間に圧縮方向に作用させる支柱部を設け、前記滑車群、動滑車、及び係止体と、前記支柱部とを前後位置をずらせて別々に並設した構成とし、前記係止体を杭頭に係脱可能に係止されるチャックとし、前記支柱部を上下方向に伸縮駆可能なジャッキ又はシリンダ等からなるアクチュエータとし、前記支柱部の下端部にチャックを設け、圧入された杭の杭頭を係脱可能とし、又は杭頭の上面にチャックの下面を押付け可能とする構成により実現した。
【実施例】
【００１９】
以下、図面を参照して、本考案の実施例に係る杭の圧入及び引き抜き装置について詳細に説明する。
【００２０】
本実施例に係る杭の圧入及び引き抜き装置３０は、図１に示すように、バックホーの機体１を備え、このバックホーの機体１には上下揺動可能なパワーアーム２と、その先端に揺動可能に取り付けられるブーム３とがそれぞれ設けられ、パワーアーム２及びブーム３はそれぞれ油圧シリンダ４，６とによって上下揺動駆動可能に構成している。
【００２１】
前記機体１は、各種の土木現場で多用されるバックホーに改良を加えたものを用いている。
【００２２】
前記ブーム３の途中位置（前記パワーアーム２との取り付け位置に近い位置）にはワイヤロープ１１の繰り出し及び巻き取りを行うウィンチ７を配置している。
【００２３】
前記ブーム３の先端には軸９により支持されたフレーム８を配置し、また、このフレーム８の上部に例えば４連構造で前記ウィンチ７に巻装したワイヤロープ１１の繰り出し及び巻き取り誘導用の滑車群（多滑車）１２を配置している。
【００２４】
前記滑車群（多滑車）１２は、この種の装置の従来においては、装置の杭頭にウィンチが設けられていることから、ブーム３やワイヤロープ１１に対して横並び形態で多滑車が構成配置されていたが、本実施例では、前記ブーム３の途中位置にウィンチ７を構成配置していることから、ブーム３やワイヤロープ１１に沿って縦並び形態で滑車群（多滑車）１２を構成配置（図示せず）している。
【００２５】
また、前記フレーム８にはブラケット１４が突設されて後述する動滑車１７に巻掛けるワイヤロープ１１用のガイド滑車１６を軸支している。
【００２６】
更に、前記フレーム８内には、多段式の固定滑車１３を軸支している。
【００２７】
前記固定滑車１３の下方には、この固定滑車１３にも巻掛けるワイヤロープ１１を多段に巻き掛けた動滑車１７を軸支する滑車フレーム１８を配置している。
【００２８】
そして、前記ウィンチ７によるワイヤロープ１１の繰り出し、巻き取り操作による長さの長短により滑車フレーム１８がブーム３との関係で相対的に昇降駆動されるように構成している。
【００２９】
前記滑車フレーム１８の下端部には、地盤１９に圧入されている既設の杭（矢板）２１の杭頭を係脱可能に係止（把持）する公知のチャックからなる係止体２２を設けている。なお、前記チャックは、杭頭を係脱したり、又は杭頭の上面にチャックの下面を押付け可能としたものを用いてもよい。
【００３０】
他方、前記ブーム３の先端より一定間隔を隔てたブーム基端部寄りの位置には、油圧シリンダ（又は油圧ジャッキ）等のアクチュエータからなる支柱部２３の上端が、ブラケット２４を介して回動可能に且つ下向きに取り付けられ、該支柱部２３のロッドの下端には、ロッドエンドを兼ねた補助ロッド２６を延設している。
【００３１】
上記補助ロッド２６の下端にはチャック２７（係止体）を取り付けて、既設の又は新たに圧入される杭２１の杭頭を係脱自在に係止（把持）したり、杭頭の上面にチャック２７の下面を押付けたりできるようにしている。
【００３２】
次に、本実施例に係る杭の圧入及び引き抜き装置３０による杭２１の引き抜き動作について、図１を参照して説明する。
【００３３】
本実施例に係る杭の圧入及び引き抜き装置３０による杭２１の引き抜きは、多数隣接して圧入されている杭２１の前端側の杭２１ａの上端に、前記チャック２２を係止させるとともに、その後方側の杭２１ｂの杭頭に支柱部２３側のチャック２７を係止させ又は杭頭の上面にチャック２７の下面を押付け、前記ウィンチ７を回転駆動させて滑車フレーム１８を杭２１ａとともに吊り上げる。
【００３４】
この動作によって、既設の杭２１ｂ及びその後方の隣接杭より得られる反力（注：隣接杭は互いに隣接端において嵌合し合っており、引き抜き杭より引抜抵抗を備えている）により、杭２１ａが抜き取られる。
【００３５】
このような抜き取り作業を繰り返し、順次後方の隣接杭２１に移動させながら最後部の杭を１本だけ残す形で残りの杭を抜き取る。
【００３６】
図２は本実施例装置により、杭２１の圧入を行う場合の例を示し、この場合は当初の１〜３本程度の杭２１を予め在来の油圧又はバイブレーションハンマー等により圧入しておく。次いで、圧入済みの杭２１の杭頭に滑車フレーム１８側のチャック２２を係止するとともに、その後方に隣接すべき杭を立て、その杭頭に支柱部２３のチャック２７を係止した状態、又は杭頭の上面にチャック２７の下面を押付けた状態で前記ウィンチ７による巻き取り作業を行うことにより、ブーム３を下降させて、この下降とともに支柱部２３側に把持された杭２１を圧入することができる。
【００３７】
更に、前記ウィンチ７の巻き取り作業と併せて、また、これとは別に油圧シリンダ（支柱部）２３を伸長させることにより、ワイヤロープ１１の張力を反力として杭２１を圧入することも可能である。
【００３８】
図３は、別の実施例を示すものであり、前記チャック２７の代わりに補助ロッド２６の下端に当接用のアタッチメント２７′を設けた構成とし、前記アタッチメント２７′を地盤上に置かれた反力部材２８（Ｈ鋼，枕木，板材等いずれでもよい）に当接させることによって地盤面より引き抜き反力を得るようにしている。
【００３９】
この別の実施例では、杭２１の上端が地盤中に掘削された溝２９内にあり、反力部材２８はその溝２９上に差し渡されている。
【００４０】
また、図１に示す場合の最後に残された１〜２本の杭２１も同様の原理で抜き取ることができるが、この場合には必ずしも溝２９を必要とする訳ではなく、またプレート状としたアタッチメント２７′とチャック２７とを着脱交換可能にしておくことにより、現場情況に応じていずれかの方法を選択することもできる。
【００４１】
本実施例に係る杭の圧入及び引き抜き装置３０によれば、在来のバックホー等の建機の簡単な改良により、無振動による杭２１の圧入や引き抜きが単一の装置で実現できるほか、圧入や引き抜きに伴う装置の場所移動も容易に行うことができ、特別な杭抜き機やクレーン等の使用が必ずしも必要ない等の利点がある。
【００４２】
また、杭２１の圧入や引き抜きの反力を得るための大型の機体等を必要としないことから、能率的にも作業の安全性の面からも優れている。
【００４３】
更には、ブーム３の途中にウィンチ７を配置した構成としているので、この装置の構成要素の重量バランスが良好となり、この装置による杭２１の圧入や引き抜き動作時に、装置の後端側が持ち上がる等の不具合が無くなり、動作安定性に優れ、また、ブーム３の先端側が軽量化しているので、ブーム３の操作性の向上、周辺の物体との衝突回避を実現でき、各要素を無理なく駆動できることによるワイヤロープ１１の耐久性の向上等の保守費用の低廉化も実現できる。
【産業上の利用可能性】
【００４４】
本考案の杭の圧入及び引き抜き装置は、機体としてバックホーの機体を利用する場合の他、ショベルカー等の他の作業機械の機体を利用する構成として広範に応用可能である。
【符号の説明】
【００４５】
１    機体
２    パワーアーム
３    ブーム
４    油圧シリンダ
６    油圧シリンダ
７    ウィンチ
８    フレーム
９    軸
１１    ワイヤロープ
１２    滑車群
１３    固定滑車
１４    ブラケット
１６    ガイド滑車
１７    動滑車
１８    滑車フレーム
１９    地盤
２１    杭
２１ａ  杭
２１ｂ  杭
２２    チャック（係止体）
２３    支柱部
２４    ブラケット
２６    補助ロッド
２７    チャック（係止体）
２７′  アタッチメント
２８    反力部材
２９    溝
３０    杭の圧入及び引き抜き装置
【図１】
0003224435.tif 000003
【図２】
0003224435.tif 000004
【図３】
0003224435.tif 000005